(57)【要約】【解決手段】ホルダの頭部３に支持した剃刀ヘッド１３は、刃台部材１４に対し蓋部材１５を閉じて刃部材１７を収容した状態でホルダの頭部３に対し首振り可能に支持された首振り可能状態と、刃台部材１４に対し蓋部材１５を閉じて刃部材１７を収容した状態でホルダの頭部３に対し首振り不能に支持された首振り不能状態と、刃台部材１４に対し蓋部材１５を開いて刃部材１７を交換可能にした刃部材交換可能状態Ｃとを取り得る。剃刀ヘッド１３の刃部材交換可能状態Ｃで刃部材１７を剃刀ヘッド１３に収容する際に、刃部材１７を吸着し得る永久磁石１１をホルダの頭部３に備えている。また、刃部材１７を保持して剃刀ヘッド１３に移換し得る移換部材を備えている。【効果】永久磁石１１や移換部材を利用して、刃部材交換可能状態Ｃで刃部材１７のみを交換する際、刃部材１７を直接手で触れずに剃刀ヘッド１３に装着することができる。【選択図】図４
2010131228.tif 000002
【特許請求の範囲】
【請求項１】
ホルダの頭部に支持した剃刀ヘッドの刃部材交換可能状態で刃部材を剃刀ヘッドに収容する際に、その刃部材を吸着または粘着させて剃刀ヘッドに保持し得る保持手段を備えたことを特徴とする替刃式剃刀。
【請求項２】
前記吸着は磁力作用手段または電気力作用手段により生じることを特徴とする請求項１に記載の替刃式剃刀。
【請求項３】
前記磁力作用手段または電気力作用手段はホルダの頭部に設けられていることを特徴とする請求項２に記載の替刃式剃刀。
【請求項４】
ホルダの頭部に支持した剃刀ヘッドの刃部材交換可能状態で刃部材を剃刀ヘッドに収容する際に、その刃部材を保持して剃刀ヘッドに移換し得る移換部材を備えたことを特徴とする替刃式剃刀。
【請求項５】
前記移換部材と刃部材との間には着脱部を連結状態と分離状態とを取り得るように設けたことを特徴とする請求項４に記載の替刃式剃刀。
【請求項６】
ホルダの頭部に支持した剃刀ヘッドは、刃台部材と、刃台部材に対し開閉可能に支持した蓋部材と、刃台部材に対し蓋部材を閉じてその刃台部材と蓋部材との間に収容した刃部材とを有し、刃台部材に対し蓋部材を閉じて刃部材を収容した状態でホルダの頭部に対し首振り可能に支持された首振り可能状態と、刃台部材に対し蓋部材を開いて刃部材を交換可能にした刃部材交換可能状態とを取り得ることを特徴とする替刃式剃刀。
【請求項７】
前記ホルダには剃刀ヘッドを首振り可能状態から刃部材交換可能状態にし得る操作部材を設け、前記剃刀ヘッドの首振り可能状態で剃刀ヘッドの蓋部材と剃刀ヘッドの刃台部材との間には刃台部材に対する蓋部材の開閉を不能にする蓋部材ロック部をロック状態とロック解除状態とを取り得るように設け、この操作部材は剃刀ヘッドの首振り可能状態でこの蓋部材ロック部をロック状態からロック解除状態にする蓋部材押圧状態を取り得ることを特徴とする請求項６に記載の替刃式剃刀。
【請求項８】
ホルダの頭部に支持した剃刀ヘッドは、刃台部材と、刃台部材に対し開閉可能に支持した蓋部材と、刃台部材に対し蓋部材を閉じてその刃台部材と蓋部材との間に収容した刃部材とを有し、刃台部材に対し蓋部材を閉じて刃部材を収容した状態でホルダの頭部に対し首振り可能に支持された首振り可能状態と、刃台部材に対し蓋部材を閉じて刃部材を収容した状態でホルダの頭部に対し首振り不能に支持された首振り不能状態と、刃台部材に対し蓋部材を開いて刃部材を交換可能にした刃部材交換可能状態とを取り得ることを特徴とする替刃式剃刀。
【請求項９】
前記ホルダには剃刀ヘッドを首振り不能状態から首振り可能状態にするとともに首振り可能状態から刃部材交換可能状態にし得るか、または、首振り不能状態から首振り可能状態にするとともに首振り不能状態から刃部材交換可能状態にし得る操作部材を設け、前記剃刀ヘッドの首振り不能状態で剃刀ヘッドの刃台部材とホルダの頭部との間には剃刀ヘッドの首振りを不能にする刃台部材ロック部をロック状態とロック解除状態とを取り得るように設け、剃刀ヘッドの蓋部材と剃刀ヘッドの刃台部材との間には刃台部材に対する蓋部材の開閉を不能にする蓋部材ロック部をロック状態とロック解除状態とを取り得るように設けたことを特徴とする請求項８に記載の替刃式剃刀。
【請求項１０】
前記操作部材は、
剃刀ヘッドの首振り不能状態で前記刃台部材ロック部をロック状態に維持するとともに前記蓋部材ロック部をロック状態に維持する待機状態と、
剃刀ヘッドの首振り不能状態で前記刃台部材ロック部をロック状態からロック解除状態にするとともに前記蓋部材ロック部をロック状態に維持する刃台部材押圧状態と、
剃刀ヘッドの首振り可能状態で前記蓋部材ロック部をロック状態からロック解除状態にするとともに前記刃台部材ロック部をロック解除状態に維持する蓋部材押圧状態と、
剃刀ヘッドの刃部材交換可能状態で前記蓋部材ロック部をロック解除状態に維持するとともに前記刃台部材ロック部をロック解除状態に維持する解除状態と
を取り得ることを特徴とする請求項９に記載の替刃式剃刀。
【発明の詳細な説明】
【技術分野】
【０００１】
本発明は、ホルダの頭部に剃刀ヘッドを支持した替刃式剃刀に関するものである。
【背景技術】
【０００２】
従来、下記特許文献１では、その第２図に示す刃部材（上下両刃体４，５とそれらの間のスペーサー１とからなる組付体）がその第１図に示すホルダの頭部（刃台部１４と上板部１７とそれらの間の収容間隙とからなる頭部）でその収容間隙に対し装着されている。しかし、その刃部材を直接手で触れてホルダの頭部に装着しなければならなかった。
【０００３】
また、従来、下記特許文献２では、ホルダの頭部で開閉可能に取り付けられた両支持アームに対し、刃部材を装着した剃刀ヘッドが着脱可能に支持されて首振りし得る。しかし、剃刀ヘッドの全体を交換する必要があった。
【特許文献１】実公昭５５−３０４５０号公報
【特許文献２】特開２００７−２１５５９０号公報
【発明の開示】
【発明が解決しようとする課題】
【０００４】
この発明は、刃部材を直接手で触れずに剃刀ヘッドに装着することができる替刃式剃刀を提供することを目的としている。また、この発明は、首振りし得る剃刀ヘッドにおいて刃部材のみを交換することができる替刃式剃刀を提供することを目的としている。
【課題を解決するための手段】
【０００５】
後記実施形態の図面（図１、図２（ａ）及び図３〜８に示す第１実施形態、図２（ｂ）に示す第１実施形態の別例、図９〜１１に示す第２実施形態）の符号を援用して本発明を説明する。
【０００６】
請求項１の発明にかかる替刃式剃刀は、第１実施形態及びその別例並びに第２実施形態に対応し、ホルダ１の頭部３に支持した剃刀ヘッド１３の刃部材交換可能状態Ｃで刃部材１７を剃刀ヘッド１３に収容する際に、その刃部材１７を吸着または粘着させて剃刀ヘッド１３に保持し得る保持手段１１，３７を備えている。請求項１の発明では、刃部材１７を剃刀ヘッド１３に収容する際、吸着または粘着による保持手段１１，３７により刃部材１７を保持し得るため、刃部材１７を直接手で触れずに剃刀ヘッド１３に装着することができ、刃部材１７を剃刀ヘッド１３に収容し易い。
【０００７】
請求項１の発明を前提とする請求項２の発明（第１実施形態並びに第２実施形態に対応）においては、前記吸着は磁力作用手段１１または電気力作用手段により生じる。請求項２の発明では、刃部材１７を剃刀ヘッド１３に収容する際、磁力作用手段１１または電気力作用手段による吸着により刃部材１７を保持し得るため、刃部材１７を直接手で触れずに剃刀ヘッド１３に装着することができ、刃部材１７を剃刀ヘッド１３に収容し易い。
【０００８】
請求項２の発明を前提とする請求項３の発明（第１実施形態並びに第２実施形態に対応）においては、前記磁力作用手段１１または電気力作用手段はホルダ１の頭部３に設けられている。請求項３の発明では、磁力作用手段１１または電気力作用手段を設け易い。
【０００９】
請求項４の発明にかかる替刃式剃刀は、第２実施形態に対応し、ホルダ１の頭部３に支持した剃刀ヘッド１３の刃部材交換可能状態Ｃで刃部材１７を剃刀ヘッド１３に収容する際に、その刃部材１７を保持して剃刀ヘッド１３に移換し得る移換部材４１を備えている。請求項４の発明では、刃部材１７を剃刀ヘッド１３に収容する際、移換部材４１により、刃部材１７を直接手で触れずに剃刀ヘッド１３に装着することができ、刃部材１７を剃刀ヘッド１３に収容し易い。
【００１０】
請求項４の発明を前提とする請求項５の発明（第２実施形態に対応）においては、前記移換部材４１と刃部材１７との間には例えば弾性的に係脱し得る着脱部４４，２６を連結状態と分離状態とを取り得るように設けている。請求項５の発明では、移換部材４１と刃部材１７とを着脱部４４，２６により互いに着脱し得るため、刃部材１７を直接手で触れずに剃刀ヘッド１３に装着することができ、刃部材１７を剃刀ヘッド１３に収容し易い。
【００１１】
請求項６の発明にかかる替刃式剃刀は、第１実施形態及びその別例並びに第２実施形態に対応し、下記のように構成されている。
ホルダ１の頭部３に支持した剃刀ヘッド１３は、刃台部材１４と、刃台部材１４に対し開閉可能に支持した蓋部材１５と、刃台部材１４に対し蓋部材１５を閉じてその刃台部材１４と蓋部材１５との間に収容した刃部材１７とを有し、刃台部材１４に対し蓋部材１５を閉じて刃部材１７を収容した状態でホルダ１の頭部３に対し首振り可能に支持された首振り可能状態Ｂと、刃台部材１４に対し蓋部材１５を開いて刃部材１７を交換可能にした刃部材交換可能状態Ｃとを取り得る。請求項６の発明では、首振り可能な剃刀ヘッド１３において、刃台部材１４に対する蓋部材１５の開閉により刃部材１７のみを交換することができる。
【００１２】
請求項６の発明を前提とする請求項７の発明は、第１実施形態及びその別例並びに第２実施形態に対応し、下記のように構成されている。
前記ホルダ１には剃刀ヘッド１３を首振り可能状態Ｂから刃部材交換可能状態Ｃにし得る操作部材６を設けている。前記剃刀ヘッド１３の首振り可能状態Ｂで剃刀ヘッド１３の蓋部材１５と剃刀ヘッド１３の刃台部材１４との間には、刃台部材１４に対する蓋部材１５の開閉を不能にする蓋部材ロック部２８，３２をロック状態とロック解除状態とを取り得るように設けている。この操作部材６は、剃刀ヘッド１３の首振り可能状態Ｂでこの蓋部材ロック部２８，３２をロック状態からロック解除状態にする蓋部材押圧状態を取り得る。請求項７の発明では、首振り可能な剃刀ヘッド１３において、操作部材６により蓋部材ロック部２８，３２をロック状態からロック解除状態に切り換えることにより、刃台部材１４に対する蓋部材１５の開閉を容易に行うことができる。
【００１３】
請求項８の発明にかかる替刃式剃刀は、第１実施形態及びその別例並びに第２実施形態に対応し、下記のように構成されている。
ホルダ１の頭部３に支持した剃刀ヘッド１３は、刃台部材１４と、刃台部材１４に対し開閉可能に支持した蓋部材１５と、刃台部材１４に対し蓋部材１５を閉じてその刃台部材１４と蓋部材１５との間に収容した刃部材１７とを有し、刃台部材１４に対し蓋部材１５を閉じて刃部材１７を収容した状態でホルダ１の頭部３に対し首振り可能に支持された首振り可能状態Ｂと、刃台部材１４に対し蓋部材１５を閉じて刃部材１７を収容した状態でホルダ１の頭部３に対し首振り不能に支持された首振り不能状態Ａと、刃台部材１４に対し蓋部材１５を開いて刃部材１７を交換可能にした刃部材交換可能状態Ｃとを取り得る。請求項８の発明では、首振り可能状態Ｂと首振り不能状態Ａとを取り得る剃刀ヘッド１３において、刃台部材１４に対し蓋部材１５を開いた刃部材交換可能状態Ｃで刃部材１７のみを交換することができる。
【００１４】
請求項８の発明を前提とする請求項９の発明は、第１実施形態及びその別例並びに第２実施形態に対応し、下記のように構成されている。
前記ホルダ１には剃刀ヘッド１３を首振り不能状態Ａから首振り可能状態Ｂにするとともに首振り可能状態Ｂから刃部材交換可能状態Ｃにし得るか、または、首振り不能状態Ａから首振り可能状態Ｂにするとともに首振り不能状態Ａから刃部材交換可能状態Ｃにし得る操作部材６を設けている。前記剃刀ヘッド１３の首振り不能状態Ａで剃刀ヘッド１３の刃台部材１４とホルダ１の頭部３との間には剃刀ヘッド１３の首振りを不能にする刃台部材ロック部１２，２７をロック状態とロック解除状態とを取り得るように設けている。剃刀ヘッド１３の蓋部材１５と剃刀ヘッド１３の刃台部材１４との間には刃台部材１４に対する蓋部材１５の開閉を不能にする蓋部材ロック部２８，３２をロック状態とロック解除状態とを取り得るように設けている。請求項９の発明では、首振り可能状態Ｂと首振り不能状態Ａとを取り得る剃刀ヘッド１３において、操作部材６により刃台部材ロック部１２，２７をロック状態からロック解除状態に切り換えることにより、剃刀ヘッド１３を首振り不能状態Ａから首振り可能状態Ｂに容易にすることができる。また、操作部材６により蓋部材ロック部２８，３２をロック状態からロック解除状態に切り換えることにより、剃刀ヘッド１３を首振り可能状態Ｂから刃部材交換可能状態Ｃに容易にすることができる。さらに、操作部材６により刃台部材ロック部１２，２７をロック状態からロック解除状態に切り換えるとともに蓋部材ロック部２８，３２をロック状態からロック解除状態に切り換えることにより、剃刀ヘッド１３を首振り不能状態Ａから刃部材交換可能状態Ｃに容易にすることができる。
【００１５】
請求項９の発明を前提とする請求項１０の発明は、第１実施形態及びその別例並びに第２実施形態に対応し、下記のように構成されている。
前記操作部材６は、下記の待機状態と刃台部材押圧状態と蓋部材押圧状態と解除状態とを取り得る。前記待機状態では、剃刀ヘッド１３の首振り不能状態Ａで前記刃台部材ロック部１２，２７をロック状態に維持するとともに前記蓋部材ロック部２８，３２をロック状態に維持する。前記刃台部材押圧状態では、剃刀ヘッド１３の首振り不能状態Ａで前記刃台部材ロック部１２，２７をロック状態からロック解除状態にするとともに前記蓋部材ロック部２８，３２をロック状態に維持する。前記蓋部材押圧状態では、剃刀ヘッド１３の首振り可能状態Ｂで前記蓋部材ロック部２８，３２をロック状態からロック解除状態にするとともに前記刃台部材ロック部１２，２７をロック解除状態に維持する。前記解除状態では、剃刀ヘッド１３の刃部材交換可能状態Ｃで前記蓋部材ロック部２８，３２をロック解除状態に維持するとともに前記刃台部材ロック部１２，２７をロック解除状態に維持する。請求項１０の発明では、待機状態と刃台部材押圧状態と蓋部材押圧状態と解除状態とを取り得る操作部材６により、剃刀ヘッド１３を首振り不能状態Ａと首振り可能状態Ｂと刃部材交換可能状態Ｃとに維持するとともに容易に切り換えることができる。
【００１６】
次に、請求項以外の技術的思想について実施形態の図面の符号を援用して説明する。
請求項３の発明を前提とする第１１の発明（第１実施形態並びに第２実施形態に対応）において、前記磁力作用手段１１は剃刀ヘッド１３の刃部材１７に面している。第１１の発明では、磁力作用手段１１により、刃部材１７を容易に吸着することができる。
【００１７】
第１１の発明を前提とする第１２の発明（第１実施形態並びに第２実施形態に対応）においては、前記刃部材１７に対する磁力作用手段１１の磁力を変化させる磁力変更手段を備えている。第１２の発明では、磁力変更手段により、磁力作用手段１１による刃部材１７の吸着度を吸着不能状態を含めて変更して刃部材１７を容易に吸着または吸着解除することができる。
【００１８】
第１２の発明を前提とする第１３の発明（第１実施形態並びに第２実施形態に対応）において、前記磁力変更手段は剃刀ヘッド１３の刃部材１７と磁力作用手段１１との間の距離を変更し得る距離変更手段である。第１３の発明では、距離変更手段により、磁力作用手段１１による刃部材１７の吸着度を容易に変更することができる。
【００１９】
第１３の発明を前提とする第１４の発明（第１実施形態並びに第２実施形態に対応）において、前記距離変更手段は、磁力作用手段１１に対し剃刀ヘッド１３の刃部材１７を接近または離間させるようにホルダ１の頭部３に対し剃刀ヘッド１３を首振り可能に支持したものである。第１４の発明では、剃刀ヘッド１３の首振り動作を利用して距離変更手段を容易に設けることができる。
【００２０】
請求項２の発明または請求項３の発明または第１１の発明または第１２の発明または第１３の発明または第１４の発明を前提とする第１５の発明（第１実施形態並びに第２実施形態に対応）において、前記磁力作用手段は磁石１１である。第１５の発明では、磁石１１を利用して磁力作用手段を容易に設けることができる。
【００２１】
請求項５の発明を前提とする第１６の発明（第２実施形態に対応）においては、連結状態にある刃部材１７と移換部材４１とを刃部材交換可能状態Ｃで剃刀ヘッド１３に支持し、その刃部材１７と移換部材４１とを分離状態にし、移換部材４１のみを剃刀ヘッド１３から離脱させて刃部材１７のみを剃刀ヘッド１３に収容する。第１６の発明では、移換部材４１を利用して刃部材１７を剃刀ヘッド１３に容易に収容することができる。
【００２２】
請求項５の発明を前提とする第１７の発明（第２実施形態に対応）において、前記剃刀ヘッド１３は、刃台部材１４と、刃台部材１４に対し開閉可能に支持した蓋部材１５と、刃台部材１４に対し蓋部材１５を閉じてその刃台部材１４と蓋部材１５との間に収容した刃部材１７とを有し、刃台部材１４に対し蓋部材１５を開いて刃部材１７を交換可能にした刃部材交換可能状態Ｃを取り、連結状態にある刃部材１７と移換部材４１とをその刃部材交換可能状態Ｃで剃刀ヘッド１３に支持し、刃台部材１４に対し蓋部材１５を閉じた状態でその刃部材１７と移換部材４１とを分離状態にし、移換部材４１のみを剃刀ヘッド１３から離脱させて刃部材１７のみを剃刀ヘッド１３に収容する。第１７の発明では、移換部材４１を利用して刃部材１７を剃刀ヘッド１３に容易に収容することができる。
【００２３】
第１７の発明を前提とする第１８の発明（第２実施形態に対応）においては、刃部材１７を収容したケース３８を備え、そのケース３８に移換部材４１を挿入して刃部材１７と移換部材４１とを連結状態にし、連結状態にある刃部材１７と移換部材４１とをケース３８から離脱させる。第１８の発明では、移換部材４１を利用して刃部材１７をケース３８から容易に取り出すことができる。
【００２４】
請求項７の発明を前提とする第１９の発明（第１実施形態及びその別例並びに第２実施形態に対応）において、前記剃刀ヘッド１３の刃台部材１４はホルダ１の頭部３に対し回動可能に支持され、前記剃刀ヘッド１３の蓋部材１５はこの刃台部材１４に対し回動可能に支持されている。第１９の発明では、ホルダ１の頭部３に対する刃台部材１４の回動支持により剃刀ヘッド１３の首振りを容易に行うことができるとともに、刃台部材１４に対する蓋部材１５の回動支持により刃台部材１４に対する蓋部材１５の開閉を容易に行うことができる。
【００２５】
第１９の発明を前提とする第２０の発明（第１実施形態及びその別例並びに第２実施形態に対応）において、前記剃刀ヘッド１３の刃台部材１４と前記剃刀ヘッド１３の蓋部材１５とは共通の回動中心１６ａで回動可能に支持されている。第２０の発明では、共通の回動中心１６ａで兼用して、ホルダ１の頭部３に対する刃台部材１４の回動支持構造と、刃台部材１４に対する蓋部材１５の回動支持構造とを簡単にすることができる。
【００２６】
第２０の発明を前提とする第２１の発明（第１実施形態及びその別例並びに第２実施形態に対応）において、前記刃台部材１４及び蓋部材１５の回動中心１６ａは剃刀ヘッド１３における刃部材１７の刃先２１ａ側にあり、前記蓋部材ロック部２８，３２はその刃先２１ａ側に対する反対側にある。第２１の発明では、蓋部材１５が刃台部材１４に対し刃先２１ａ側に開くため、刃台部材１４に対する刃部材１７の着脱を容易に行うことができる。また、蓋部材ロック部２８，３２が蓋部材１５の刃先２１ａ側に対する反対側にあるため、使用時に蓋部材１５の刃先２１ａ側に力をかけても蓋部材ロック部２８，３２が不用意にロック解除されにくい。
【００２７】
第１９の発明または第２０の発明または第２１の発明を前提とする第２２の発明（第１実施形態及びその別例並びに第２実施形態に対応）において、前記剃刀ヘッド１３の刃台部材１４はプッシャ７の付勢力により剃刀ヘッド１３の首振り方向へ押圧され、前記操作部材６はこのプッシャ７に対し並べられている。第２２の発明では、操作部材６をプッシャ７に並べた簡単な構造にすることができる。
【００２８】
請求項８の発明を前提とする第２３の発明は、第１実施形態及びその別例並びに第２実施形態に対応し、下記のように構成されている。
前記剃刀ヘッド１３の首振り不能状態Ａで剃刀ヘッド１３の刃台部材１４とホルダ１の頭部３との間には剃刀ヘッド１３の首振りを不能にする刃台部材ロック部１２，２７をロック状態とロック解除状態とを取り得るように設けている。前記剃刀ヘッド１３の首振り可能状態Ｂで剃刀ヘッド１３の蓋部材１５と剃刀ヘッド１３の刃台部材１４との間には刃台部材１４に対する蓋部材１５の開閉を不能にする蓋部材ロック部２８，３２をロック状態とロック解除状態とを取り得るように設けている。剃刀ヘッド１３の首振り不能状態Ａで前記刃台部材ロック部１２，２７をロック状態からロック解除状態にするとともに前記蓋部材ロック部２８，３２をロック状態に維持する刃台部材押圧状態と、剃刀ヘッド１３の首振り可能状態Ｂで前記蓋部材ロック部２８，３２をロック状態からロック解除状態にするとともに前記刃台部材ロック部１２，２７をロック解除状態に維持する蓋部材押圧状態とを取り得る操作部材６を備えている。第２３の発明では、首振り可能状態Ｂと首振り不能状態Ａとを取り得る剃刀ヘッド１３において、操作部材６の刃台部材押圧状態で剃刀ヘッド１３を首振り不能状態Ａから首振り可能状態Ｂに容易にすることができる。また、操作部材６の蓋部材押圧状態で剃刀ヘッド１３を首振り可能状態Ｂから刃部材交換可能状態Ｃに容易にすることができる。
【００２９】
請求項１０の発明または第２３の発明を前提とする第２４の発明（第１実施形態及びその別例並びに第２実施形態に対応）において、前記剃刀ヘッド１３の刃台部材１４はホルダ１の頭部３に対し回動可能に支持され、前記剃刀ヘッド１３の蓋部材１５はこの刃台部材１４に対し回動可能に支持されている。第２４の発明では、ホルダ１の頭部３に対する刃台部材１４の回動支持により剃刀ヘッド１３の首振りを容易に行うことができるとともに、刃台部材１４に対する蓋部材１５の回動支持により刃台部材１４に対する蓋部材１５の開閉を容易に行うことができる。
【００３０】
第２４の発明を前提とする第２５の発明（第１実施形態及びその別例並びに第２実施形態に対応）において、前記剃刀ヘッド１３の刃台部材１４と前記剃刀ヘッド１３の蓋部材１５とは共通の回動中心１６ａで回動可能に支持されている。第２５の発明では、共通の回動中心１６ａで兼用して、ホルダ１の頭部３に対する刃台部材１４の回動支持構造と、刃台部材１４に対する蓋部材１５の回動支持構造とを簡単にすることができる。
【００３１】
第２５の発明を前提とする第２６の発明（第１実施形態及びその別例並びに第２実施形態に対応）において、前記刃台部材１４及び蓋部材１５の回動中心１６ａは剃刀ヘッド１３における刃部材１７の刃先２１ａ側にあり、前記刃台部材ロック部１２，２７及び蓋部材ロック部２８，３２はその刃先２１ａ側に対する反対側にある。第２６の発明では、蓋部材１５が刃台部材１４に対し刃先２１ａ側に開くため、刃台部材１４に対する刃部材１７の着脱を容易に行うことができる。また、刃台部材ロック部１２，２７及び蓋部材ロック部２８，３２が蓋部材１５の刃先２１ａ側に対する反対側にあるため、使用時に蓋部材１５の刃先２１ａ側に力をかけても刃台部材ロック部１２，２７及び蓋部材ロック部２８，３２が不用意にロック解除されにくい。
【００３２】
第２４の発明または第２５の発明または第２６の発明を前提とする第２７の発明（第１実施形態及びその別例並びに第２実施形態に対応）において、前記剃刀ヘッド１３の刃台部材１４はプッシャ７の付勢力により剃刀ヘッド１３の首振り方向へ押圧され、前記操作部材６はこのプッシャ７に対し並べられている。第２７の発明では、操作部材６をプッシャ７に並べた簡単な構造にすることができる。
【００３３】
請求項６から請求項１０のうちいずれか一つの請求項の発明、または、第１９の発明から第２７の発明のうちいずれか一つの発明を前提とする第２８の発明（第１実施形態及びその別例並びに第２実施形態に対応）において、ホルダ１の頭部３に磁石１１を設け、刃台部材１４と蓋部材１５との間に収容した刃部材１７を剃刀ヘッド１３の首振り不能状態Ａで刃台部材１４を通して磁石１１により吸着可能であり、剃刀ヘッド１３の首振り可能状態Ｂでは刃台部材１４と蓋部材１５との間に収容した刃部材１７を吸着不能にする状態を含み、剃刀ヘッド１３の刃部材交換可能状態Ｃでは刃部材１７を吸着不能にする状態を含んでその吸着不能状態で刃部材１７を剃刀ヘッド１３の刃台部材１４から離脱し得る。第２８の発明では、剃刀ヘッド１３の首振り不能状態Ａで磁石１１により吸着して剃刀ヘッド１３に収容した刃部材１７を、剃刀ヘッド１３の刃部材交換可能状態Ｃで吸着不能にして剃刀ヘッド１３の刃台部材１４から離脱し得るため、刃部材１７を剃刀ヘッド１３に対し容易に着脱することができる。
【００３４】
第２８の発明を前提とする第２９の発明（第１実施形態及びその別例並びに第２実施形態に対応）にかかる剃刀ヘッド１３の刃台部材１４において、剃刀ヘッド１３の首振り不能状態Ａで磁石１１に面する部分に透孔１９を設けている。第２９の発明では、剃刀ヘッド１３の首振り不能状態Ａで刃部材１７を磁石１１により透孔１９を通して吸着して剃刀ヘッド１３に収容することができる。
【００３５】
第２８の発明または第２９の発明を前提とする第３０の発明（第１実施形態及びその別例に対応）においては、刃部材１７を収容したケース３４を備え、剃刀ヘッド１３の刃部材交換可能状態Ｃでケース３４内の刃部材１７に剃刀ヘッド１３の刃台部材１４を対向させてケース３４内の刃部材１７を刃台部材１４を通して磁石１１により吸着する。第３０の発明では、磁石１１を利用して刃部材１７をケース３４から容易に取り出すことができる。
【００３６】
請求項１の発明を前提とする第３１の発明（第１実施形態の別例に対応）においては、前記粘着による保持手段は粘着テープ３７である。第３１の発明では、粘着テープ３７を利用して刃部材１７に対する保持手段を容易に設けることができる。
【発明の効果】
【００３７】
請求項１〜３の発明では、刃部材１７を剃刀ヘッド１３に収容する際、吸着または粘着による保持手段１１，３７により、刃部材１７を直接手で触れずに剃刀ヘッド１３に装着することができる。
【００３８】
請求項４〜５の発明では、刃部材１７を剃刀ヘッド１３に収容する際、移換部材４１により、刃部材１７を直接手で触れずに剃刀ヘッド１３に装着することができる。
請求項６〜７の発明では、首振り可能な剃刀ヘッド１３において、刃台部材１４に対する蓋部材１５の開閉により刃部材１７のみを交換することができるとともに、刃部材１７以外の部品を交換せずに繰り返し利用することができる。
【００３９】
請求項８〜１０の発明では、首振り可能状態Ｂと首振り不能状態Ａとを取り得る剃刀ヘッド１３において、刃台部材１４に対し蓋部材１５を開いた刃部材交換可能状態Ｃで刃部材１７のみを交換することができるとともに、刃部材１７以外の部品を交換せずに繰り返し利用することができる。
【発明を実施するための最良の形態】
【００４０】
まず、本発明の第１実施形態にかかる替刃式剃刀について図１、図２（ａ）及び図３〜８を参照して説明する。
図１（ａ）（ｂ）（ｃ）に示すホルダ１は、細長く延びる把持部２と、その把持部２の上端部から一体的に設けられた頭部３とからなる。図２（ａ）に示すように、そのホルダ１内には把持部２の上端部から頭部３にわたり細長い収容室４が形成されて頭部３の前端面３ａで開口４ａにより開放され、この頭部３上には収容室４と連通して上方へ開放された操作孔５が形成されている。この収容室４内には操作部材６とプッシャ７とが上下に並べられて収容され、操作部材６には操作孔５から露出する摘み６ａが形成されている。操作部材６の前端部とプッシャ７の前端部とにはそれぞれ押圧部８，９が形成されて収容室４の開口４ａで上下に並び、操作部材６の後端部とプッシャ７の後端部との間に介在されたばね１０（圧縮コイルばね）の弾性力により、プッシャ７が収容室４の開口４ａ側へ付勢されているとともに、操作部材６がその開口４ａに対し反対側になる収容室４の底部４ｂ側へ付勢されている。この頭部３の前端部で収容室４の開口４ａに対する左右両側には保持手段である磁力作用手段としての永久磁石１１が左右方向で互いに約１８ｍｍの間隔をあけて埋設されて前方へ露出している。この頭部３の前端部には収容室４の開口４ａよりも上方で且つ操作孔５に対する左右両側で刃台部材ロック部としての係止凹部１２が形成されている。
【００４１】
図１（ａ）（ｂ）（ｃ）に示す剃刀ヘッド１３は、前記ホルダ１の頭部３の前端部に面する刃台部材１４と、この刃台部材１４の前側に面する蓋部材１５とからなる。この頭部３の前端部には前記収容室４の開口４ａよりも下方でこの刃台部材１４の下端部と蓋部材１５の下端部とが互いに連結され、図３（ａ）（ｂ）（ｃ）及び図４（ａ）（ｂ）（ｃ）に示すように頭部３と刃台部材１４と蓋部材１５とがそれぞれ支軸１６により共通の回動中心１６ａで前後方向へ相対回動可能に支持されている。
【００４２】
この刃台部材１４には図５に示すように磁性体例えば金属により成形された刃部材１７を嵌め込むための凹所１８が形成され、その凹所１８の底部に形成された左右両透孔１９が前記左右両永久磁石１１に対向している。この刃部材１７は台座２０と複数枚の刃体２１とからなる。この台座２０においては、段差状の載置台部２２の上下両側から脚部２３が載置台部２２の裏側に突設され、この載置台部２２の表側にはこの各刃体２１が点溶接されて上下方向へ並設されている。この上下両脚部２３においては、支持部２４の左右両側に板ばね部２５が形成され、この支持部２４には着脱部としての複数の係止孔２６が左右方向へ並設されている。この刃台部材１４の凹所１８に嵌め込まれた刃部材１７のうち、上下両脚部２３の左右両板ばね部２５が凹所１８の底部に対し載置され、載置台部２２上の各刃体２１が蓋部材１５側に面している。ホルダ１の頭部３にある左右両永久磁石１１は左右両透孔１９を通して載置台部２２の裏側に面している。この刃部材１７は上下両脚部２３の左右両板ばね部２５による弾性で前後方向へ撓み得る。なお、前記刃台部材１４及び蓋部材１５の回動中心１６ａはこの刃部材１７の刃先２１ａ側にある。
【００４３】
前記刃台部材１４の上端部の左右両側には前記頭部３の左右両係止凹部１２に対し係脱し得る刃台部材ロック部としての係止爪部２７が後方へ突設されている。この刃台部材１４の上端部には、この左右両係止爪部２７間で蓋部材ロック部としての係止軸部２８が架設され、この係止軸部２８の下方で前記プッシャ７の押圧部９が圧接される押圧面２９が形成されている。
【００４４】
前記蓋部材１５は、刃台部材１４の凹所１８に嵌め込まれた刃部材１７のうち載置台部２２上の各刃体２１が露出する窓孔３０ａを枠体３０の内側に有している。この枠体３０の上枠部３１の左右両側には前記刃台部材１４の左右両係止爪部２７が挿脱される凹部３１ａが形成されているとともに、この左右両凹部３１ａ間で上枠部３１には前記刃台部材１４の係止軸部２８に対し係脱される蓋部材ロック部としての係止爪部３２が形成されている。この係止爪部３２には前記操作部材６の押圧部８が圧接される押圧面３３が形成されている。なお、この刃台部材１４の係止軸部２８及び蓋部材１５の係止爪部３２と、前記ホルダ１の頭部３の左右両係止凹部１２及び刃台部材１４の左右両係止爪部２７とは、それぞれ刃部材１７の刃先２１ａ側に対する反対側にある。
【００４５】
なお、剃刀ヘッド１３において、刃先２１ａの延設方向に沿う左右方向長さについては、約４０ｍｍに設定されているが、約５〜７０ｍｍに設定することが好ましい。
さて、図１（ａ）（ｂ）（ｃ）及び図２（ａ）に示す首振り不能状態Ａでは、剃刀ヘッド１３において、ホルダ１の頭部３の前端面３ａに重ねられた刃台部材１４の左右両係止爪部２７がその頭部３の左右両係止凹部１２に係入されて刃台部材１４がホルダ１の頭部３に対しロック状態になっているとともに、刃台部材１４に重ねられた蓋部材１５の係止爪部３２が刃台部材１４の係止軸部２８に係合されて蓋部材１５が刃台部材１４に対しロック状態になっており、その刃台部材１４と蓋部材１５との間に収容された刃部材１７の各刃体２１が蓋部材１５の窓孔３０ａから露出している。操作部材６はばね１０の弾性力により収容室４の底部４ｂ側へ付勢されて待機状態にあり、刃台部材１４及び蓋部材１５の押圧面２９，３３に対し離れてまたは接して刃台部材１４及び蓋部材１５のロック状態を維持している。プッシャ７はばね１０の弾性力により収容室４の開口４ａ側へ付勢され、プッシャ７の押圧部９が刃台部材１４の押圧面２９を圧接しているが、前記頭部３の左右両係止凹部１２に対する前記刃台部材１４の左右両係止爪部２７の係入状態は維持される。この首振り不能状態Ａで、左右両永久磁石１１と刃部材１７の載置台部２２の裏側との離間距離が約１．２ｍｍに設定され、左右両永久磁石１１が刃部材１７に対し吸着力を働かすことができる。なお、永久磁石１１の磁力の強さに応じてこの離間距離を変更してもよい。
【００４６】
前記首振り不能状態Ａで操作部材６の摘み６ａをばね１０の弾性力に抗して押すと、収容室４の開口４ａから突出した操作部材６の押圧部８が刃台部材１４の押圧面２９を圧接して操作部材６が刃台部材押圧状態となり、刃台部材１４の左右両係止爪部２７がホルダ１の頭部３の左右両係止凹部１２から離脱されて刃台部材１４がホルダ１の頭部３に対しロック解除状態になるとともに、ばね１０の弾性力により収容室４の開口４ａ側へ付勢されたプッシャ７の押圧部９が突出して刃台部材１４の押圧面２９を圧接する。その後、操作部材６の摘み６ａを離すと、操作部材６がばね１０の弾性力により収容室４の底部４ｂ側へ戻ってその押圧部８が刃台部材１４の押圧面２９から離れるとともに、操作部材６の押圧部８が蓋部材１５の押圧面３３に対し離れたままで蓋部材１５のロック状態を維持し、図３（ａ）（ｂ）に示す首振り可能状態Ｂになる。その首振り可能状態Ｂで、剃刀ヘッド１３は、刃部材１７の各刃体２１の刃先２１ａの下方にある回動中心１６ａを中心に所定範囲角度（例えば０〜４５度）だけプッシャ７で圧接されながら回動してホルダ１の頭部３に対し首振りし得る。その首振りにより、左右両永久磁石１１に対し剃刀ヘッド１３の刃部材１７を接近または離間させて刃部材１７と左右両永久磁石１１との間の距離を変更することができる距離変更手段が、その刃部材１７に対する左右両永久磁石１１の磁力を変化させる磁力変更手段として機能する。この首振り可能状態Ｂでは、ホルダ１の頭部３に対する剃刀ヘッド１３の前方への首振り角度が大きくなるほど、刃部材１７に対する左右両永久磁石１１の吸着力が小さくなり、左右両永久磁石１１は前方への所定首振り角度で刃部材１７を吸着不能になる。
【００４７】
図３（ｃ）に示すように前記首振り可能状態Ｂで操作部材６の摘み６ａをばね１０の弾性力に抗して押すと、収容室４の開口４ａから突出した操作部材６の押圧部８が蓋部材１５の押圧面３３を圧接して操作部材６が蓋部材押圧状態となり、刃台部材１４に重ねられた蓋部材１５の係止爪部３２が刃台部材１４の係止軸部２８から離脱されて蓋部材１５が刃台部材１４に対しロック解除状態になる。その後、操作部材６の摘み６ａを離すと、操作部材６がばね１０の弾性力により収容室４の底部４ｂ側へ戻って解除状態となり、その押圧部８が蓋部材１５の押圧面３３から離れるとともに、操作部材６の押圧部８が刃台部材１４の押圧面２９に対し離れたままで刃台部材１４のロック解除状態を維持し、図４（ａ）（ｂ）に示す刃部材交換可能状態Ｃになる。前記首振り可能状態Ｂにおいて前方への任意の各首振り角度でそれぞれこの刃部材交換可能状態Ｃにすることができ、この刃部材交換可能状態Ｃで蓋部材１５が回動中心１６ａを中心に所定範囲角度だけ回動して刃台部材１４からを開き、左右両永久磁石１１が刃部材１７を吸着不能になって図４（ｃ）に示すように刃部材１７が刃台部材１４から離脱可能となり、刃部材１７を直接手で触れずに刃台部材１４から落下させることができる。
【００４８】
図６（ａ）に示すように回動可能に支持された各蓋体３５により閉塞されたケース３４においては、図６（ｂ）に示すように並設された各収容室３６内に前記刃部材１７がその両脚部２３側を蓋体３５側に向けて収容される。
【００４９】
図４（ｃ）に示す刃部材交換可能状態Ｃにある剃刀ヘッド１３の刃台部材１４を図７（ａ）に示すようにこのケース３４内の収容室３６の内周部に嵌め込んで、この収容室３６内の刃部材１７を刃台部材１４に当てがうと、刃部材１７には刃台部材１４の凹所１８で左右両永久磁石１１の磁力が十分に働いていないために刃部材１７が左右両永久磁石１１に吸着されない。その後、図７（ｂ）に示すようにプッシャ７を付勢するばね１０の弾性力に抗してホルダ１の頭部３を回動中心１６ａを中心に回動させて刃台部材１４に重ねると、刃台部材１４がホルダ１の頭部３に対しロック状態となり、その頭部３にある左右両永久磁石１１が刃部材１７の載置台部２２の裏側に対し透孔１９による隙間をあけて接近し、刃部材１７が刃台部材１４の凹所１８で左右両永久磁石１１の磁力により吸着される。図７（ｂ）に示す状態から、刃台部材１４をケース３４の収容室３６から離脱させると、図８（ａ）（ｂ）に示すように収容室３６から取り出された刃部材１７が左右両永久磁石１１の磁力により吸着されたまま刃台部材１４の凹所１８に嵌め込まれた状態を維持することができる。図８（ａ）（ｂ）に示す状態から蓋部材１５を回動中心１６ａを中心に回動させて刃台部材１４に対しロック状態にすると、図１（ａ）（ｂ）（ｃ）及び図２（ａ）に示す首振り不能状態Ａに戻る。従って、刃部材１７を直接手で触れずに剃刀ヘッド１３に装着することができる。
【００５０】
図２（ｂ）に示す第１実施形態の別例では、前記左右両永久磁石１１に代えて保持手段としての粘着テープ３７がホルダ１の頭部３に取着され、刃台部材１４の凹所１８に嵌め込まれた刃部材１７のうち上下両脚部２３の左右両板ばね部２５がこの粘着テープ３７に接触して着脱可能に保持される。従って、刃部材１７を直接手で触れずに剃刀ヘッド１３に装着することができる。
【００５１】
次に、本発明の第２実施形態にかかる替刃式剃刀について第１実施形態との相違点を中心に図９〜１１を参照して説明する。
図９（ａ）に示すように蓋体３９で閉塞されたケース３８においては、図９（ｂ）及び図１０（ａ）に示すように並設された各収容室４０内に前記刃部材１７がその両脚部２３側を下向きにして収容される。
【００５２】
図９（ｃ）に示す細長い環状の移換部材４１においては、基端側に形成されたＵ状の摘み４２から二本の弾性腕部４３が互いに隙間をあけて延設されて先端側でＵ状につながれ、この両弾性腕部４３の長手方向中央部付近には着脱部としての係止突部４４が形成されている。図１０（ａ）に示すようにこの移換部材４１の両弾性腕部４３をケース３８の収容室４０で刃部材１７の両脚部２３間に対し刃部材１７の刃先２１ａに沿って挿入し、この両弾性腕部４３の係止突部４４の斜面を両脚部２３に押し当てるか、または、Ｕ状の摘み４２を押し狭めると、両弾性腕部４３が弾性に抗して撓んで両弾性腕部４３の係止突部４４が両脚部２３の係止孔２６に係入される。その後、この移換部材４１を刃部材１７とともに収容室４０から離脱させると、図１０（ｂ）に示すように移換部材４１と刃部材１７とが互いに連結された連結状態となる。図１１（ａ）に示すように剃刀ヘッド１３において蓋部材１５を開いた刃台部材１４の凹所１８に相互連結状態の移換部材４１及び刃部材１７を載せた後、図１１（ｂ）に示すように刃台部材１４に対し蓋部材１５を閉じてロック状態にすると、移換部材４１の両弾性腕部４３と刃部材１７とが刃台部材１４と蓋部材１５との間に収容されるとともに、刃台部材１４と蓋部材１５との間で形成された側孔４５から移換部材４１の摘み４２が突出する。その後、剃刀ヘッド１３で刃部材１７の両脚部２３間に挿入された移換部材４１を剃刀ヘッド１３から外側へ引くと、両弾性腕部４３の係止突部４４の斜面が両脚部２３の係止孔２６に押し当てられて両弾性腕部４３が弾性に抗して撓んで両弾性腕部４３の係止突部４４が両脚部２３の係止孔２６から離脱され、移換部材４１のみが剃刀ヘッド１３から引き出され、図１１（ｃ）に示すように移換部材４１と刃部材１７とが互いに分離状態となり、移換部材４１が剃刀ヘッド１３から離脱されるとともに、刃部材１７のみが刃台部材１４と蓋部材１５との間で収容される。従って、刃部材１７を直接手で触れずに剃刀ヘッド１３に装着することができる。
【００５３】
本実施形態は主に下記の効果を有する。
＊  第１実施形態で前述したように、ホルダ１の頭部３に設けた左右両永久磁石１１を利用して、刃部材１７をケース３４から取り出して剃刀ヘッド１３に収容することができる。その際、刃部材１７を直接手で触れずに剃刀ヘッド１３に装着することができる。
【００５４】
＊  第１実施形態で前述したように、剃刀ヘッド１３を首振りさせて蓋部材１５を開くと、左右両永久磁石１１が刃部材１７を吸着不能になって刃部材１７を直接手で触れずに刃台部材１４から落下させ、刃部材１７をケース３４，３８に戻したり廃棄したりすることができる。
【００５５】
＊  第１実施形態の別例で前述したように、ホルダ１の頭部３に設けた粘着テープ３７を利用して、刃部材１７をケース３４から取り出して剃刀ヘッド１３に収容することができる。その際、刃部材１７を直接手で触れずに剃刀ヘッド１３に装着することができる。
【００５６】
＊  第２実施形態で前述したように、移換部材４１を利用して、ケース３８から取り出した刃部材１７を剃刀ヘッド１３に収容することができる。その際、刃部材１７を直接手で触れずに剃刀ヘッド１３に装着することができる。
【００５７】
＊  第１実施形態で前述したように、首振り可能状態Ｂと首振り不能状態Ａとを取り得る剃刀ヘッド１３において、刃台部材１４に対し蓋部材１５を開いた刃部材交換可能状態Ｃで刃部材１７のみを交換することができるとともに、刃部材１７以外の部品を交換せずに繰り返し利用することができる。
【００５８】
前記実施形態以外にも例えば下記のように構成してもよい。
・  第２実施形態では、第１実施形態と同様に永久磁石１１を備えているが、その永久磁石１１を省略してもよい。
【００５９】
・  刃部材１７を吸着する磁力作用手段としての磁石については、永久磁石１１以外に、ホルダ１の頭部３に取り付ける電磁石（図示せず）を採用してもよい。
・  この磁力作用手段に代えて電気力作用手段（図示せず）を採用してもよい。その電気力作用手段については、例えば、ホルダ１の頭部３に取り付ける静電気発生手段（図示せず）を採用する。
【００６０】
・  吸着による保持手段としては、この磁力作用手段及び電気力作用手段に代えて、ホルダ１の頭部３に取り付けたエア吸引手段（図示せず）を採用してもよい。
・  操作部材６については、首振り不能状態Ａから首振り可能状態Ｂにするとともに首振り可能状態Ｂから刃部材交換可能状態Ｃにし得るばかりでなく、首振り不能状態Ａから刃部材交換可能状態Ｃにし得るようにしてもよい。その際、首振り不能状態Ａから首振り可能状態Ｂにするとともに首振り可能状態Ｂから刃部材交換可能状態Ｃにする操作部材６と、首振り不能状態Ａから刃部材交換可能状態Ｃにする操作部材６とを互いに分けて設けてもよい。
【００６１】
・  刃台部材１４においては、透孔１９を省略し、凹所１８の底部を磁力線を通すもので閉塞してもよい。
・  頭部３の係止凹部１２と刃台部材１４の係止爪部２７とからなる刃台部材ロック部において、逆に、頭部３に係止爪部２７を設けるとともに刃台部材１４に係止凹部１２を設けてもよい。また、刃台部材１４の係止軸部２８と蓋部材１５の係止爪部３２とからなる蓋部材ロック部において、逆に、刃台部材１４に係止爪部３２を設けるとともに蓋部材１５に係止軸部２８を設けてもよい。
【００６２】
・  頭部３の係止凹部１２と刃台部材１４の係止爪部２７とからなる刃台部材ロック部において、その係止凹部１２と係止爪部２７とを互いに吸着される永久磁石に変更してもよい。また、刃台部材１４の係止軸部２８と蓋部材１５の係止爪部３２とからなる蓋部材ロック部において、その係止軸部２８と係止爪部３２とを互いに吸着される永久磁石に変更してもよい。
【００６３】
・  刃部材１７を吸着または粘着させて剃刀ヘッド１３に保持し得る保持手段については、ホルダ１の頭部３に代えて刃台部材１４や蓋部材１５に設けてもよい。
・  剃刀ヘッド１３において刃台部材１４の回動中心１６ａと蓋部材１５の回動中心１６ａとを互いに別々の支軸１６により設けてもよい。
【００６４】
・  刃部材１７において刃体２１の数を４枚以外の複数にしたり、台座を省略した一枚の刃体からなる刃部材にしたりしてもよい。
・  前述した実施形態では、剃刀の全部品やケース３４，３８を金属により成形しているが、刃部材１７等を除く各部品を樹脂により成形してもよい。
【００６５】
・  蓋部材１５を金属により成形した場合、その表面にフッ素樹脂やシリコーン樹脂のコーティングを施してもよい。
・  蓋部材１５を樹脂により成形した場合、その樹脂にフッ素樹脂やシリコーンオイルを適量添加してもよい。
【００６６】
・  剃刀ヘッド１３やホルダ１やケース３４，３８を樹脂等の透明体により成形してそれらの内部構造を視認できるようにしてもよい。
・  蓋部材１５において刃部材１７に対する上側と下側と左右両側とのうちいずれかにシェービングエイドを設けてもよい。その際、シェービングエイドにトルマリンやシアバターや炭成分を適量添加してもよい。
【００６７】
・  未使用の刃部材１７と使用後の刃部材１７とを区別し得るように刃部材１７の使用前後の状態を識別することができる機能や手段を設けてもよい。例えば、刃部材１７の装着から離脱までの間に刃台部材１４に対し蓋部材１５を閉じた際、蓋部材１５側に設けたスタンプのような印付与手段により、一度収容された刃部材１７に印を付し、その印により刃部材１７の使用の有無を区別する。また、刃部材１７の装着から離脱までの間に刃台部材１４に対し蓋部材１５を閉じた際、刃部材１７に対し予め設けられた変形可能部分或いは易損部分が蓋部材１５により力を受けて変形若しくは損傷し、その変形若しくは損傷により刃部材１７の使用の有無を区別する。
【図面の簡単な説明】
【００６８】
【図１】（ａ）は第１実施形態にかかる替刃式剃刀において首振り不能状態を示す側面図であり、（ｂ）は（ａ）の部分拡大側面図であり、（ｃ）は（ａ）の部分拡大斜視図である。
【図２】（ａ）は図１（ｂ）を側面から見た部分拡大断面図であり、（ｂ）は第１実施形態の別例にかかる剃刀を側面から見た部分拡大断面図である。
【図３】（ａ）は第１実施形態にかかる替刃式剃刀において首振り可能状態を示す部分拡大側面図であり、（ｂ）は（ａ）の部分拡大斜視図であり、（ｃ）は首振り可能状態から刃部材交換可能状態にする途中の状態を示す部分拡大側面図である。
【図４】（ａ）は第１実施形態にかかる替刃式剃刀において刃部材交換可能状態を示す部分拡大側面図であり、（ｂ）は（ａ）の部分拡大斜視図であり、（ｃ）は（ｂ）において刃部材を剃刀ヘッドから離脱させた状態を示す部分拡大斜視図である。
【図５】（ａ）は刃部材を示す分解斜視図であり、（ｂ）は同じく組付斜視図である。
【図６】（ａ）は第１実施形態にかかる刃部材収容ケースにおいて蓋閉塞状態を示す斜視図であり、（ｂ）は同じく蓋開放状態を示す斜視図である。
【図７】（ａ）（ｂ）はそれぞれ第１実施形態にかかる刃部材収容ケースの蓋開放状態で第１実施形態にかかる剃刀の剃刀ヘッドに刃部材を収容する状態を示す部分拡大断面図である。
【図８】（ａ）は図７（ｂ）の状態にある替刃式剃刀を示す部分拡大側面図であり、（ｂ）は同じく部分拡大斜視図である。
【図９】（ａ）は第２実施形態にかかる刃部材収容ケースにおいて蓋閉塞状態を示す斜視図であり、（ｂ）は同じく蓋開放状態を示す斜視図であり、（ｃ）は第２実施形態にかかる移換部材を示す斜視図である。
【図１０】（ａ）はその移換部材を刃部材収容ケースに挿入して移換部材に刃部材を連結した状態を示す一部切欠き斜視図であり、（ｂ）は刃部材を連結した移換部材を刃部材収容ケースから離脱させた状態を示す斜視図である。
【図１１】（ａ）は第２実施形態にかかる替刃式剃刀で刃部材交換可能状態にある剃刀ヘッドにおいて刃部材を連結した移換部材を刃台部材に載せた状態を示す斜視図であり、（ｂ）はその剃刀ヘッドにおいて刃部材を連結した移換部材を刃台部材と蓋部材との間に収容した状態を示す斜視図であり、（ｃ）はその剃刀ヘッドから移換部材のみを離脱させた状態を示す斜視図である。
【符号の説明】
【００６９】
１…ホルダ、３…ホルダの頭部、６…操作部材、１１…保持手段である磁力作用手段としての永久磁石、１２…頭部の刃台部材ロック部としての係止凹部、１３…剃刀ヘッド、１４…剃刀ヘッドの刃台部材、１５…剃刀ヘッドの蓋部材、１７…剃刀ヘッドの刃部材、２６…刃部材の着脱部としての係止孔、２７…刃台部材の刃台部材ロック部としての係止爪部、２８…刃台部材の蓋部材ロック部としての係止軸部、３２…蓋部材の蓋部材ロック部としての係止爪部、３７…保持手段である粘着テープ、４１…移換部材、４４…移換部材の着脱部としての係止突部、Ａ…首振り不能状態、Ｂ…首振り可能状態、Ｃ…刃部材交換可能状態。
【図１】
2010131228.tif 000003
【図２】
2010131228.tif 000004
【図３】
2010131228.tif 000005
【図４】
2010131228.tif 000006
【図５】
2010131228.tif 000007
【図６】
2010131228.tif 000008
【図７】
2010131228.tif 000009
【図８】
2010131228.tif 000010
【図９】
2010131228.tif 000011
【図１０】
2010131228.tif 000012
【図１１】
2010131228.tif 000013